(57)【特許請求の範囲】
【請求項１】
係留索によって水中に係留された中層浮魚礁の回収方法であって、
前記中層浮魚礁の魚礁本体の外形よりも大きな環状に形成された係止部を前記魚礁本体の上方から外挿して前記魚礁本体と前記係留索の接続位置に保持する係止部保持工程と、前記係止部を縮径させて前記係留索の外周に巻着する係止部装着工程と、前記係止部を牽引して前記係留索と共に前記魚礁本体を水上に引き上げる回収工程と、を備えたことを特徴とする中層浮魚礁の回収方法。
【請求項２】
請求項１に記載の中層浮魚礁の回収方法に用いる回収具であって、
一端側に縮径自在な環状に形成された係止部を有する回収索と、前記回収索の前記係止部が着脱自在に取り付けられる環状部を有する枠体と、前記枠体に配設され回収船から前記枠体を吊り下げるための吊り下げ部と、を備えたことを特徴とする回収具。
【請求項３】
前記回収索の前記係止部を前記枠体の前記環状部に沿わせて固定し、前記係止部の縮径時に切断される係止部固定部材を備えたことを特徴とする請求項２に記載の回収具。
【請求項４】
前記吊り下げ部が前記回収船に搭載されたクレーンに連結され、前記回収索の他端側が前記回収船に搭載されたウインチに巻上げ可能に接続されたことを特徴とする請求項２又は３に記載の回収具。
【請求項５】
前記枠体に配設されたカメラを備えたことを特徴とする請求項２乃至４の内いずれか１項に記載の回収具。
【発明の詳細な説明】
【技術分野】
【０００１】
本発明は、係留索によって水中に係留された中層浮魚礁の回収方法及びそれに用いる回収具に関するものである。
【背景技術】
【０００２】
一般に、浮魚礁は、魚礁本体と海底などに沈設したシンカーを係留索によって接続、係留して水中に浮遊させる構造となっている。
この浮魚礁は、１０年程度の耐用年数に達した後に、係留索に回収索を取り付け、その回収索を台船に装備したウインチなどで巻き上げることにより回収される。
浮魚礁の中で、魚礁本体を水面上に浮遊させる表層浮魚礁の場合、ダイバーが潜水して回収索の取り付けを行うことができるが、魚礁本体を水面下に浮遊させる中層浮魚礁の場合は、例えば水深１００ｍ程度の位置にある魚礁本体と係留索との接続位置に回収索を取り付ける必要があり、ダイバーによる取り付け作業が困難であるという問題があった。
そこで、（特許文献１）には、「作業船から吊り下げた案内索の先端側を移動しながら魚礁本体の適宜位置に掛止させて作業船を固定した後、作業船から繰り出す回収索の一端側と結合する回収用金具が着脱可能に取り付けられた無人潜水機を、案内索を利用しながら魚礁本体の近くまで吊り降ろし、無人潜水機を操作してその回収用金具を魚礁本体の下方にある係留索に結合させた後に回収用金具と無人潜水機とを分離し、無人潜水機を引き揚げた後、作業船上で回収索を巻き上げて中層浮魚礁を引き揚げることを特徴とする中層浮魚礁の回収方法。」が開示されている。
【先行技術文献】
【特許文献】
【０００３】
【特許文献１】特開２０１０−２０７１０６号公報
【発明の概要】
【発明が解決しようとする課題】
【０００４】
しかし、（特許文献１）の方法では、無人潜水機を操作してその回収用金具を魚礁本体の下方にある係留索に結合させなければならず、操作が困難で、回収用金具を所定の位置（係留索）に結合させるのに時間がかかり、操作性、作業性に欠けるという課題を有していた。
【０００５】
本発明は上記課題を解決するものであり、複雑な操作を行うことなく、水中の係留索に簡便かつ確実に回収索を取り付けることができ、短時間で中層浮魚礁を回収することができる作業性、確実性に優れた中層浮魚礁の回収方法の提供、及び操作が簡単で、容易に位置決めを行うことができ、係留索と回収索との接続の作業性、確実性に優れた回収具の提供を目的とする。
【課題を解決するための手段】
【０００６】
上記課題を解決するために本発明の中層浮魚礁の回収方法及びそれに用いる回収具は、以下の構成を有している。
本発明の請求項１に記載の中層浮魚礁の回収方法は、係留索によって水中に係留された中層浮魚礁の回収方法であって、前記中層浮魚礁の魚礁本体の外形よりも大きな環状に形成された係止部を前記魚礁本体の上方から外挿して前記魚礁本体と前記係留索の接続位置に保持する係止部保持工程と、前記係止部を縮径させて前記係留索の外周に巻着する係止部装着工程と、前記係止部を牽引して前記係留索と共に前記魚礁本体を水上に引き上げる回収工程と、を備えた構成を有している。
この構成により、以下のような作用を有する。
（１）中層浮魚礁の魚礁本体の外形よりも大きな環状に形成された係止部を魚礁本体の上方から外挿して魚礁本体と係留索の接続位置に保持する係止部保持工程と、係止部を縮径させて係留索の外周に巻着する係止部装着工程と、係止部を牽引して係留索と共に魚礁本体を水上に引き上げる回収工程を有することにより、係止部を所定の位置に保持した後、縮径させるだけで確実に係留索に装着することができるので、複雑な操作を行うことなく、短時間で中層浮魚礁を回収することができ、作業の効率性、確実性に優れる。
（２）係止部保持工程において、中層浮魚礁の魚礁本体の外形よりも大きな環状に形成された係止部を魚礁本体の上方から外挿するので、魚礁本体の外形に応じて予め係止部の大きさを調整するだけで、様々な大きさや形状の中層浮魚礁に対応することができ、汎用性に優れる。
（３）係止部装着工程において、係止部を縮径させて係留索の外周に巻着するので、係留索に確実に係止部を装着でき、回収工程において、係止部を牽引した際に、係止部が係留索から外れることがなく、係止部の固定の安定性、確実性に優れる。
【０００７】
ここで、係止部は、縮径自在な環状に形成されていればよい。係止部は、係止部を牽引するための回収索の先端に一体に形成してもよいし、別途形成したものをリングやフックなどの連結部材を用いて回収索の先端に連結してもよい。例えば、回収索の先端に係止部を形成する場合は、挿通孔を有するシャックルなどの環状部材を回収索の一端に取り付け、回収索の他端を環状部材の挿通孔に挿通すればよい。回収索の他端側をウインチなどで牽引すれば、自動的に係止部が縮径されて係留索に巻着され、さらに牽引することにより、係留索と共に魚礁本体を水上に引き上げることができる。
尚、係止部としては、ワイヤやロープ等が好適に用いられるが、ナイロンスリングを用いることもできる。回収索は、ウインチのドラムに巻回されたワイヤやロープをそのまま使用してもよいし、先端に別途、ワイヤやロープを連結してもよい。
【０００８】
係止部保持工程において、係止部を魚礁本体の上方から外挿する際には、形状保持性を有する枠体などに係止部を取り付けて、その形状を保持することが好ましい。例えば、枠体の環状部などに沿わせて係止部を取り付ければ、枠体と共に係止部を容易に魚礁本体の上方から外挿することができ、作業性に優れる。また、係止部保持工程では、係止部を魚礁本体と係留索の接続位置に保持する必要があるが、枠体が、ある程度の質量を有することにより、回収船に搭載したクレーンなどで吊り下げて、係止部を所定の位置（高さ）に保持することができる。尚、必要に応じて、枠体に重錘などを取り付けてもよい。
係止部と環状部（枠体）は、切れ易い糸や紐などの固定部材で固定することが好ましい。係止部装着工程において、係止部を縮径させる際に、固定部材が切断され、環状部（枠体）から取り外すことができるためである。
尚、中層浮魚礁の回収を行うには、予め中層浮魚礁の位置を確認する必要がある。よって、回収作業を行う前日などに、ＧＰＳ受信機、水深器、ソナーなどを搭載した測量船で中層浮魚礁の位置や深さを検出する位置確認工程を行うことが好ましい。
【０００９】
本発明の請求項２に記載の回収具は、請求項１に記載の中層浮魚礁の回収方法に用いる回収具であって、一端側に縮径自在な環状に形成された係止部を有する回収索と、前記回収索の前記係止部が着脱自在に取り付けられる環状部を有する枠体と、前記枠体に配設され回収船から前記枠体を吊り下げるための吊り下げ部と、を備えた構成を有している。
この構成により、以下のような作用を有する。
（１）一端側に縮径自在な環状に形成された係止部を有する回収索と、回収索の係止部が着脱自在に取り付けられる環状部を有する枠体と、枠体に配設され回収船から枠体を吊り下げるための吊り下げ部を有するので、回収船から簡便に吊り下げることができ、中層浮魚礁との位置合わせを容易に行うことが可能で、回収索の他端側を回収船に搭載したウインチなどで牽引するだけで係止部を縮径させて係留索に確実に装着することができ、係留索と回収索との接続の作業性、確実性に優れる。
（２）枠体が、回収索の係止部が着脱自在に取り付けられる環状部を有するので、枠体を吊り下げた状態で、環状部によって係止部の形状を保持することができ、魚礁本体の上方から係止部を外挿して魚礁本体と係留索の接続位置に確実に保持することができ、施工性に優れる。
（３）回収索の係止部が、枠体の環状部に着脱自在に取り付けられているので、係止部が完全に収縮して環状部から外れるまでの間、係止部の一部を環状部で保持しながら確実に縮径させることができ、動作の安定性、確実性に優れる。
【００１０】
ここで、係止部及び回収索は、請求項１で説明した通りであるので、説明を省略する。
また、枠体は、請求項１でも説明したが、少なくとも環状部を有するものであればよい。環状部や枠体全体の形状は適宜、選択することができるが、環状部は円形状や楕円形状に形成されたものが好適に用いられる。係止部の取り付けが容易で、量産性に優れると共に、形状安定性、耐久性に優れるためである。尚、四角形状や多角形状に形成してもよい。分解、組立が容易で搬送性や収納性に優れるためである。
枠体の材質は、適宜、選択することができるが、金属や合成樹脂が好適に用いられる。尚、枠体の各部は中空のパイプ状の部材で形成してもよいし、中実の棒状の部材で形成してもよい。枠体を金属で形成する場合は形鋼や鋼管を用いてもよい。
吊り下げ部は、回収船に搭載したクレーンなどに枠体を吊り下げることができればよく、環状やフック状に形成された連結部材のみを有するものでもよいし、連結部材にワイヤやロープなどが接続されたものでもよい。
【００１１】
請求項３に記載の発明は、請求項２に記載の回収具であって、前記回収索の前記係止部を前記枠体の前記環状部に沿わせて固定し、前記係止部の縮径時に切断される係止部固定部材を備えた構成を有している。
この構成により、請求項２の作用に加え、以下の作用を有する。
（１）回収索の係止部を枠体の環状部に沿わせて固定し、係止部の縮径時に切断される係止部固定部材を有することにより、係止部が縮径するに従って、徐々に係止部固定部材が切断され、最後の係止部固定部材が切断された時に、係止部が環状部（枠体）から切り離されるので、確実に係止部を縮径させることができ、動作の安定性、確実性に優れる。
【００１２】
ここで、係止部固定部材としては、請求項１でも説明したように、切れ易い糸や紐などが好適に用いられる。特に、係止部や枠体の環状部よりも弾性の低い材質を用いることにより、係止部の縮径時に小さな力で確実に切断することができ、係止部の縮径を妨げることがなく、環状部の変形や係止部の破損などが発生することがなく、信頼性に優れる。
具体的には、ポリプロピレンロープ、クレモナロープ（登録商標）、トワインロープ等の合成繊維製のロープ等が好適に用いられる。
【００１３】
請求項４に記載の発明は、請求項２又は３に記載の回収具であって、前記吊り下げ部が前記回収船に搭載されたクレーンに連結され、前記回収索の他端側が前記回収船に搭載されたウインチに巻上げ可能に接続された構成を有している。
この構成により、請求項２又は３の作用に加え、以下の作用を有する。
（１）吊り下げ部が回収船に搭載されたクレーンに連結され、回収索の他端側が回収船に搭載されたウインチに巻上げ可能に接続されるので、吊り下げ部を介して枠体がクレーンに吊り下げられた状態で、係止部を所定の位置に保持することができ、ウインチで回収索を他端側から牽引することによって、係止部を縮径させて係留索に確実に巻着することができ、操作が容易で、動作の安定性、確実性、係止部の固定の信頼性に優れる。
【００１４】
請求項５に記載の発明は、請求項２乃至４の内いずれか１項に記載の回収具であって、前記枠体に配設されたカメラを備えた構成を有している。
この構成により、請求項２乃至４の内いずれか１項の作用に加え、以下の作用を有する。
（１）枠体に配設されたカメラを備えることにより、枠体や係止部と中層浮魚礁の魚礁本体や係留索との位置関係を確認しながら、係止部を所定の位置に配置して保持することができ、遠隔からの作業が容易で、省力性、操作性に優れる。
【００１５】
ここで、カメラの数や配置は適宜、選択することができるが、枠体の周縁部から中心方向を撮影できるように配設することが好ましい。枠体を魚礁本体に確実に外挿し、係留索の位置を確認し易いためである。特に、複数のカメラを備えた場合、枠体が魚礁本体と緩衝することを防ぐことができると共に、係留索の位置を確実に把握することができ、操作性、位置決めの確実性に優れる。
【発明の効果】
【００１６】
請求項１に記載の発明によれば、以下のような効果を有する。
（１）所定の位置に保持した係止部を縮径させるだけで確実に係留索に装着することができ、複雑な操作が不要で、短時間で中層浮魚礁を回収することができる作業の効率性、確実性に優れた中層浮魚礁の回収方法を提供することができる。
【００１７】
請求項２に記載の発明によれば、以下のような効果を有する。
（１）回収船から吊り下げた状態で、中層浮魚礁との位置合わせを容易に行うことができ、回収索の他端側を回収船に搭載したウインチなどで牽引するだけで係止部を縮径させて係留索に確実に装着することができる係留索と回収索との接続の作業性、確実性に優れた回収具を提供することができる。
【００１８】
請求項３に記載の発明によれば、請求項２の効果に加え、以下のような効果を有する。
（１）係止部を所定の位置に保持した状態で、徐々に係止部固定部材を切断しながら、確実に係止部を縮径させることができる動作の安定性、確実性に優れた回収具を提供することができる。
【００１９】
請求項４に記載の発明によれば、請求項２又は３の効果に加え、以下のような効果を有する。
（１）吊り下げ部を介してクレーンに吊り下げられた状態で、係止部を所定の位置に保持することができ、ウインチで回収索を他端側から牽引することによって、係止部を縮径させて係留索に確実に巻着することができる操作が容易で、動作の安定性、確実性、係止部の固定の信頼性に優れた回収具を提供することができる。
【００２０】
請求項５に記載の発明によれば、請求項２乃至４の内いずれか１項の効果に加え、以下のような効果を有する。
（１）中層浮魚礁の魚礁本体や係留索の位置を確認しながら遠隔操作を行うことができ、係止部を所定の位置に配置して保持することができる省力性、操作性に優れた回収具を提供することができる。
【図面の簡単な説明】
【００２１】
【図１】実施の形態１の中層浮魚礁の回収方法の位置確認工程を示す模式側面図
【図２】実施の形態１の中層浮魚礁の回収方法の係止部保持工程を示す模式側面図
【図３】実施の形態１の中層浮魚礁の回収方法の係止部保持工程を示す模式平面図
【図４】実施の形態１の中層浮魚礁の回収方法に用いる回収具を示す模式斜視図
【図５】実施の形態１の中層浮魚礁の回収方法の係止部装着工程を示す模式側面図
【図６】実施の形態１の中層浮魚礁の回収方法の回収工程を示す模式側面図
【発明を実施するための最良の形態】
【００２２】
（実施の形態１）
本発明の実施の形態１における中層浮魚礁の回収方法及びそれに用いる回収具について、以下図面を参照しながら説明する。
図１は実施の形態１の中層浮魚礁の回収方法の位置確認工程を示す模式側面図である。
図１中、１は海１０などの水中に係留された中層浮魚礁、１ａは中層浮魚礁１の魚礁本体１ｂと海底などに沈設したシンカー（図示せず）を接続して係留する係留索、２０は水深器２１、ソナー２２、ＧＰＳ受信機２３などを搭載し、実施の形態１の中層浮魚礁の回収方法の位置確認工程に用いられる測量船である。
実施の形態１の中層浮魚礁の回収方法では、まず、図１に示すように、回収作業を行う前日などに、位置確認工程によって、測量船２０に搭載した水深器２１、ソナー２２、ＧＰＳ受信機２３などを用いて、中層浮魚礁１の位置や深さを検出し、記録する。
【００２３】
図２は実施の形態１の中層浮魚礁の回収方法の係止部保持工程を示す模式側面図であり、図３は実施の形態１の中層浮魚礁の回収方法の係止部保持工程を示す模式平面図である。
図２及び図３中、３０は実施の形態１の中層浮魚礁の回収方法に用いる回収船、３５は回収船３０に搭載されたクレーン、４０は回収船３０に搭載されたウインチ、４５は実施の形態１の中層浮魚礁の回収方法に用いられる回収具である。
【００２４】
ここで、実施の形態１の中層浮魚礁の回収方法に用いられる回収具の詳細について説明する。
図４は実施の形態１の中層浮魚礁の回収方法に用いる回収具を示す模式斜視図である。
図４中、５０はワイヤやロープなどの回収索、５１は回収索５０の一端側に環状に形成された係止部、５２は回収索５０の一端に取り付けられ挿通孔５２ａに回収索５０の他端が挿通されて係止部５１を縮径自在に保持するシャックルを用いた環状部材、６０は合成樹脂製や金属製のパイプや棒体で形成された回収具４５の枠体、６１は枠体６０の底部に形成され係止部５１が着脱自在に取り付けられる環状部、６２は環状部６１の要所に立設された枠体６０の複数の柱部、６３は環状に形成され複数の柱部６２の上端を接続する枠体６０の環状連結部、６３ａは環状連結部６３の内側に十字状に配設された補強部、６４は環状連結部６３に配設された回収具４５のカメラ、６５は回収索５０の係止部５１を枠体６０の環状部６１に沿わせて固定するポリプロピレンロープを用いた係止部固定部材、６６は環状連結部６３とクレーン３５の間を連結して回収船３０から枠体６０を吊り下げるための吊り下げ部（図２、３参照）である。
【００２５】
以上のように構成された回収具を用いて行われる実施の形態１の中層浮魚礁の回収方法の各工程について説明する。
図２に示すように、係止部保持工程において、クレーン３５を用いて回収具４５の枠体６０を水中に降下させることにより、中層浮魚礁１の魚礁本体１ｂの外形よりも大きな環状に形成された係止部５１を魚礁本体１ｂの上方から外挿して魚礁本体１ｂと係留索１ａの接続位置に保持する。
このとき、カメラ６４により、枠体６０や係止部５１（環状部６１）と中層浮魚礁１の魚礁本体１ｂや係留索１ａとの位置関係を確認しながら操作することができる。尚、カメラ６４の数や配置は適宜、選択することができるが、枠体６０の周縁部から中心方向（環状部６１の中心部）を撮影できるように配設することにより、係留索１ａの位置を確認し易く、遠隔作業性に優れる。特に、複数のカメラ６４を備えることにより、枠体６０が魚礁本体１ｂと緩衝することを防ぐことができると共に、係留索１ａの位置を確実に把握することができ、操作性、位置決めの確実性に優れる。
【００２６】
図５は実施の形態１の中層浮魚礁の回収方法の係止部装着工程を示す模式側面図である。
図５において、ウインチ４０で回収索５０の他端側を牽引することにより、回収索５０が環状部材５２の挿通孔５２ａを通過して係止部５１が絞られ（図４参照）、縮径して係留索１ａの外周に巻着される。
このとき、係止部５１は枠体６０の環状部６１に沿うように係止部固定部材６５によって固定されているが、係止部固定部材６５として、切れ易いポリプロピレンロープなどを用いることにより、係止部５１の縮径に伴って環状部材５２から遠い位置の係止部固定部材６５から徐々に切断され、全ての係止部固定部材６５が切断された時に、係止部５１が枠体６０から切り離される。その後、クレーン３５によって枠体６０を魚礁本体１ｂの上方に吊り上げて回収する。
尚、係止部固定部材６５としては、糸状や紐状に形成されたものが好適に用いられるが、その材質は適宜、選択することができる。特に、係止部５１や枠体６０の環状部６１よりも剛性の低い材質で形成されたものを用いることにより、係止部５１の縮径時に小さな力で確実に切断することができ、係止部５１の縮径を妨げることがなく、環状部６１の変形や係止部５１の破損などが発生することがなく、信頼性に優れる。
【００２７】
図６は実施の形態１の中層浮魚礁の回収方法の回収工程を示す模式側面図である。
図５の係止部装着工程において、係止部５１が係留索１ａの外周に巻着した後、回収工程において、さらに回収索５０をウインチ４０で牽引して巻き取ることにより、係留索１ａと共に魚礁本体１ｂを水上（船上）に引き上げて回収することができる。その後、ウインチ４０で係留索１ａを巻き取り、係留索１ａ及びシンカーを回収する。
【００２８】
以上説明したように、実施の形態１における中層浮魚礁の回収方法によれば、以下の作用を有する。
（１）中層浮魚礁の魚礁本体の外形よりも大きな環状に形成された係止部を魚礁本体の上方から外挿して魚礁本体と係留索の接続位置に保持する係止部保持工程と、係止部を縮径させて係留索の外周に巻着する係止部装着工程と、係止部を牽引して係留索と共に魚礁本体を水上に引き上げる回収工程を有することにより、係止部を所定の位置に保持した後、縮径させるだけで確実に係留索に装着することができるので、複雑な操作を行うことなく、短時間で中層浮魚礁を回収することができ、作業の効率性、確実性に優れる。
（２）係止部保持工程において、中層浮魚礁の魚礁本体の外形よりも大きな環状に形成された係止部を魚礁本体の上方から外挿するので、魚礁本体の外形に応じて予め係止部の大きさを調整するだけで、様々な大きさや形状の中層浮魚礁に対応することができ、汎用性に優れる。
（３）係止部装着工程において、係止部を縮径させて係留索の外周に巻着するので、係留索に確実に係止部を装着でき、回収工程において、係止部を牽引した際に、係止部が係留索から外れることがなく、係止部の固定の安定性、確実性に優れる。
【００２９】
以上説明したように、実施の形態１における中層浮魚礁の回収方法に用いる回収具によれば、以下の作用を有する。
（１）一端側に縮径自在な環状に形成された係止部を有する回収索と、回収索の係止部が着脱自在に取り付けられる環状部を有する枠体と、枠体に配設され回収船から枠体を吊り下げるための吊り下げ部を有するので、回収船から簡便に吊り下げることができ、中層浮魚礁との位置合わせを容易に行うことが可能で、回収索の他端側を回収船に搭載したウインチなどで牽引するだけで係止部を縮径させて係留索に確実に装着することができ、係留索と回収索との接続の作業性、確実性に優れる。
（２）枠体が、回収索の係止部が着脱自在に取り付けられる環状部を有するので、枠体を吊り下げた状態で、環状部によって係止部の形状を保持することができ、魚礁本体の上方から係止部を外挿して魚礁本体と係留索の接続位置に確実に保持することができ、施工性に優れる。
（３）回収索の係止部が、枠体の環状部に着脱自在に取り付けられているので、係止部が完全に収縮して環状部から外れるまでの間、係止部の一部を環状部で保持しながら確実に縮径させることができ、動作の安定性、確実性に優れる。
（４）回収索の係止部を枠体の環状部に沿わせて固定し、係止部の縮径時に切断される係止部固定部材を有することにより、係止部が縮径するに従って、徐々に係止部固定部材が切断され、最後の係止部固定部材が切断された時に、係止部が環状部（枠体）から切り離されるので、確実に係止部を縮径させることができ、動作の安定性、確実性に優れる。
（５）吊り下げ部が回収船に搭載されたクレーンに連結され、回収索の他端側が回収船に搭載されたウインチに巻上げ可能に接続されるので、吊り下げ部を介して枠体がクレーンに吊り下げられた状態で、係止部を所定の位置に保持することができ、ウインチで回収索を他端側から牽引することによって、係止部を縮径させて係留索に確実に巻着することができ、操作が容易で、動作の安定性、確実性、係止部の固定の信頼性に優れる。
（６）枠体に配設されたカメラを備えることにより、枠体や係止部と中層浮魚礁の魚礁本体や係留索との位置関係を確認しながら、係止部を所定の位置に配置して保持することができ、遠隔からの作業が容易で、省力性、操作性に優れる。
【産業上の利用可能性】
【００３０】
本発明は、複雑な操作を行うことなく、水中の係留索に簡便かつ確実に回収索を取り付けることができ、短時間で中層浮魚礁を回収することができる作業性、確実性に優れた中層浮魚礁の回収方法の提供、及び操作が簡単で、容易に位置決めを行うことができ、係留索と回収索との接続の作業性、確実性に優れた回収具の提供を行い、中層浮魚礁の回収作業の効率化に貢献することができる。
【符号の説明】
【００３１】
１  中層浮魚礁
１ａ  係留索
１ｂ  魚礁本体
１０  海
２０  測量船
２１  水深器
２２  ソナー
２３  ＧＰＳ受信機
３０  回収船
３５  クレーン
４０  ウインチ
４５  回収具
５０  回収索
５１  係止部
５２  環状部材
５２ａ  挿通孔
６０  枠体
６１  環状部
６２  柱部
６３  環状連結部
６３ａ  補強部
６４  カメラ
６５  係止部固定部材
６６  吊り下げ部
【要約】
【課題】複雑な操作を行うことなく、水中の係留索に簡便かつ確実に回収索を取り付けることができ、短時間で中層浮魚礁を回収することができる作業性、確実性に優れた中層浮魚礁の回収方法の提供。
【解決手段】中層浮魚礁の魚礁本体の外形よりも大きな環状に形成された係止部を魚礁本体の上方から外挿して魚礁本体と係留索の接続位置に保持する係止部保持工程と、係止部を縮径させて係留索の外周に巻着する係止部装着工程と、係止部を牽引して係留索と共に魚礁本体を水上に引き上げる回収工程と、を備えている。
【選択図】図１【図１】
0004838906.tif 000002
【図２】
0004838906.tif 000003
【図３】
0004838906.tif 000004
【図４】
0004838906.tif 000005
【図５】
0004838906.tif 000006
【図６】
0004838906.tif 000007